(57)【要約】      （修正有）【課題】塗装ガンなどのノズルを通じて粒状固形物を吹き付ける場合、壁面に付着しなかった粒状固形物を地面に飛散させることなく、回収し、再利用する粒状固形物吹き付け装置を提供する。【解決手段】粒状の固形物を吹き出すための開口部を有し、その開口部のフレーム部分に樹脂性のパッキン３を施している。装置１の下部には粒状固形物が地面に落下するのを防ぐための回収ホッパー７を有している。作業者は本装置を、施工が必要とされる壁面に押し付けて密着させ、フットスイッチ１５などを用いて空気を供給して粒状固形物を壁面に吹き付けする。作業が終わると、本装置の下部に施された回収ホッパーはバネ１１の作用により壁側に押し出され、付着しなかった粒状固形物を回収する。本装置を滑車で吊下げすると同時に車輪を取り付けることで、簡単に手動で上下左右に装置を動かして作業を行うことができる。【選択図】図１
2017137743.tif 000002
【特許請求の範囲】
【請求項１】
施工が必要とされる壁面に粒状固形物を吹き付けするする際に、作業者は滑車で吊下げた粒状固形物吹き付け装置の取っ手部分を持って壁面に装置を押し付け、粒状固形物の吹き出し面を壁面に密着させて施工する。
【請求項２】
粒状固形物吹き付け装置の吹き出し面の開口部のフレーム部分には壁面に密着させる目的で樹脂パッキンが施されている。
【請求項３】
粒状固形物吹き出し装置を壁面に密着させる際に、装置の下部に設置された回収ホッパーはバネの作用により作業者の方向に押し戻される。
【請求項４】
作業者は粒状固形物吹き出し装置を壁面に密着させた後、フットスイッチを踏んで、コンプレッサーから送られた空気を噴射口から噴出させて、開口面から粒状固形物を吹き付け、壁面に粒状固形物を付着させる。
【請求項５】
作業者は壁面に密着させた粒状固形物吹き付け装置を施工が終了したら壁面から離す。その瞬間にバネの作用で回収ホッパーが壁面方向に押し戻されて、上方から落ちる粒状固形物を回収する。
【請求項６】
回収ホッパーで回収された粒状固形物は、さらに下部にある回収タンクに回収される。回収タンクを取り外して中の粒状固形物を再度投入することで地面に飛散させることなく再度、粒状固形物を利用することができる。
【請求項７】
粒状固形物吹き出し装置を滑車により吊下げすることで作業者は簡単に負荷少なく装置を上下に動かすことができる。同時に車輪を付けることで、装置を前後左右に動かすことができる。
【発明の詳細な説明】
【技術分野】
【０００１】本発明は、施工が必要される壁面に粒状の固形物を吹き付けするため装置である。
【背景技術】
【０００２】従来は、粉体塗料や鉄粉、アルミナ、反射材など粒状の固定物を壁面に付着させる目的で吹きつけする場合、塗装ガンなどのノズルを通じて粒状固形物を吹き付けていたが、壁面に付着しなかった粒状固形物は地面に落ちるため、回収に多大な労力が必要とされてきた。
【発明の概要】
【発明が解決しようとする課題】
【０００３】これまでは、次のような欠点があった。
従来、塗装ガンなどのノズルを通じて粒状固形物を吹き付けする場合、対象物からノズルまでの距離が離れているため、付着しなかった粒状固形物は地面に落下して飛散してしまうため、回収作業に多大な労力が必要とされてきた。【０００４】本発明は、このような従来の構成が有していた問題を解決しようとするものである。
【課題を解決するための手段】
【０００５】上記目的を達成するために発明された粒状固形物吹き付け装置は、粒状の固形物を吹き出すための開口部を有し、その開口部のフレーム部分に樹脂性のパッキンを施している。また、粒状固形物吹き付け装置の下部に、施工の際に粒状固形物が地面に落下するのを防止するための回収ホッパーを有している。作業者は粒状固形物吹き出し装置を施工が必要とされる壁面に押し付けて密着させ、フットスイッチなどのスイッチを用いてコンプレッサーからエアーを供給して粒状固形物を吹き付けする。樹脂パッキンが施された吹き出し面を壁面に密着させると、バネの作用により回収ホッパーは作業者側の方向へ押し戻される。壁面から粒状固形物吹き出し装置を離した際に、回収ホッパーはバネの作用により壁側に押し出され、壁面に付着しなかった粒状固形物は回収ホッパーに回収される。粒状固形物吹き出し装置に滑車を用いて吊下げすると同時に車輪を付けることで作業者は簡単に手動で上下に、そして前後左右に装置を動かすことができる。
【発明の効果】
【０００６】上述したような手段を用いることにより、壁面に粒状固形物を拭き付けする作業を行う場合、付着しなかった粒状固形物が地面に落下して飛散することを防ぎながら、現場で吹きつけ作業を行うことが可能となる。
【図面の簡単な説明】
【０００７】
【図１】本発明の実施例を示す側面図である。
【図２】本発明の実施例を示す側面図である。
【図３】本発明の実施例を示す正面図である。
【発明を実施するための形態】
【０００８】以下、本発明を実施するための形態について図１〜３に基づいて説明する。
図１は壁面に粒状の固形物を吹き付けする装置を側面から見た図である。
１２で示す壁面に１３の作業者が９の滑車で吊下げた１で示す粒状固形物吹き付け装置の１０の取っ手部分を持って、１４の方向に装置を押し出す。４の粒状固形物吹き出し面のフレームに施された３の樹脂パッキン部分を壁面に密着させる。その際に１１の回収ホッパー押し付けバネの作用により、図２の７のように回収ホッパーが作業者１３の方向に押し戻される。１５のフットスイッチを踏むことで、コンプレッサーから送られた空気は、５の圧縮エア噴射口から噴出されて６の貯留タンク内の粒状固形物を４の吹き出し面から壁面に向けて吹き出させる。粒状固形物は２の粒状固形物投入口から投入する。１の粒状固形物吹き付け装置を壁面から離した瞬間に１１の押し付けバネの作用で、７の回収ホッパーが１２で示す壁面の方向に押し出される。上方から落ちる粒状固形物を７の回収ホッパーが回収する。回収された粒状固形物はさらに８の回収タンクに回収される。８の回収タンクを取り外して回収タンクの中の粒状固形物を２の投入口へ再度投入することで粒状固形物を地面に飛散させることなく再利用する。１の粒状固形物吹き出し装置に９の滑車を用いることで、作業者１３は簡単に負荷少なく装置を上下に動かすことができる。同時に車輪を付けることで作業者１３は装置を前後左右に動かして作業することができる。
【０００９】図２は壁面に粒状の固形物を吹き付けする装置を側面から見た図であり、１３で示す作業者が１２の壁面に１で示す粒状固形物吹き付け装置を押し当てて密着させたこところである。７で示すように回収ホッパーは作業者１３の方向に押し戻された状態となっている。
【００１０】図３は壁面に粒状の固形物を吹き付けする装置を正面から見た図である。４で示す粒状固形物吹き出し面の開口部から粒状固形物を吹き付けて壁面に付着させる。
【符号の説明】
【００１１】  １  粒状固形物吹き付け装置
２  粒状固形物投入口
３  樹脂パッキン
４  粒状固形物吹き出し面
５  圧縮エアー噴射口
６  貯留タンク
７  回収ホッパー
８  回収タンク
９  吊下げ滑車
１０  作業取っ手
１１  回収ホッパー押し付けバネ
１２  壁面
１３  作業者
１４  押し付け方向
１５  フットスイッチ
【図１】
2017137743.tif 000003
【図２】
2017137743.tif 000004
【図３】
2017137743.tif 000005